(57)【要約】【課題】高速に変調された記録用レーザー光に対しても、外来雑音の影響を受け難く、記録発光波形に忠実に応答した光検出波形を出力する光ピックアップ装置を安価に提供する。【解決手段】光ピックアップ装置の入出力信号のパターン配列において、光源から出射される光ビーム受光量に応じた電気信号を差動信号で出力する光量検出素子の差動出力信号が、電源電圧と基準電位に隣接配置されたパターン配列とする。このパターン配列にすることにより、電源電圧と基準電位がシールド効果を発揮し、外来雑音の影響を受け難く、記録発光波形に忠実に応答した光検出波形を出力する光ピックアップ装置を安価に提供することができる。【選択図】図１
2008021383.tif 000002
【特許請求の範囲】
【請求項１】
光源から出射される光ビームの一部を受光し、受光量に応じた電気信号を差動出力信号で出力する光量検出素子と、前記差動出力信号パターンが、電源電圧パターンと基準電位パターン、複数の電源電圧パターン、または複数の基準電位パターンのいずれかに隣接配置されたフレキシブル配線シートを備えることを特徴とする光ピックアップ装置。
【請求項２】
光源から出射される光ビームの一部を受光し、受光量に応じた電気信号を差動出力信号で出力する光量検出素子と、前記差動出力信号パターンが、電源電圧パターンと接地電位パターン、基準電位パターンと接地電位パターン、または複数の接地電位パターンのいずれかに隣接配置されたフレキシブル配線シートを備えることを特徴とする光ピックアップ装置。
【発明の詳細な説明】
【技術分野】
【０００１】
本発明は、光源から出射される光ビームを情報記録媒体に照射して記録情報を再生または記録するために用いる光ピックアップ装置に関するものであり、特に、光源から出射される光ビームの光量を検出して、前記光源の出射パワーの制御を行う光ピックアップ装置に関するものである。
【背景技術】
【０００２】
光ディスクに信号の書き込みを行う光ディスク装置は、光ディスクに照射する記録用レーザー光のパワーをモニタしながら、照射するパワーが最適になるよう制御するオートパワーコントロール（ＡＰＣ）回路を備えているのが通常である。このＡＰＣ回路は、光源から出射されるレーザー光の一部を受光し、受光した光量に応じた信号を出力する光量検出素子の出力をモニタし、照射する記録用レーザー光のパワーを最適になるよう制御するものである。光量検出素子の出力信号である光量検出信号は、光ディスクに照射されるレーザー光のパワーをできるだけ忠実に再現するする必要があり、光量検出信号へのノイズの影響はできる限り抑える必要がある。そして、近年光ディスクの高記録密度化,高倍速化に伴い、その精度は益々高精度が要求されている。
【０００３】
従来、光量検出信号へのノイズの影響を抑える方法として、特許文献１に記載されているようなものがあった。図３は、特許文献１に記載された光ディスク装置の構成を示している。図３おいて、ＡＰＣ回路３１０は光ディスク装置内に位置固定的に設けられた回路基板３０３に搭載されているコントローラ３０９ではなく、ＬＤＤ回路３０４に内蔵され、光ピックアップ装置３０１には、光源から出射されるレーザー光の一部を受光し、受光した光量に応じた信号を出力する光量検出素子１０５と共に、ＡＰＣ回路３１０を内蔵したＬＤＤ回路３０４が搭載されている。このため、光量検出素子１０５とＡＰＣ回路３１０とは極近傍に配置することができる。即ち光量検出素子１０５の出力信号の配線距離を短くでき、光量検出信号へのノイズの影響が抑えられている。
【０００４】
また、特許文献２に記載されているように、光量検出信号へのノイズの影響を抑える方法として、光量検出素子の出力信号を差動信号の形で出力することにより、出力信号へのノイズの影響を受けにくくする方法も提案され、出力信号を差動信号として出力する光量検出素子も開発されている。
【０００５】
更に、特許文献３に記載されているように、ノイズ源となるパターンからのノイズの影響を小さくするために、ノイズ源となるパターンとの間にノイズ防止用の配線パターンを設ける方法もある。
【特許文献１】特開２００２−４２３６２号公報
【特許文献２】特開２００２−４２３６３号公報
【特許文献３】特許第３６１９７２２号公報
【発明の開示】
【発明が解決しようとする課題】
【０００６】
しかしながら、ＡＰＣ回路３１０をＬＤＤ回路３０４に内蔵させると、レーザードライバＩＣが高価となり、光ピックアップ装置３０１も高価になってしまう欠点がある。
【０００７】
また、光量検出信号を差動出力信号にした光量検出素子も、光量検出信号の配線が長くなると、それだけでは十分とは言えず、高速応答に耐えられるようにするには、信号配線に更なる工夫が必要であった。そこで、ノイズ源からのノイズの影響を小さくするために特許文献３のように、ノイズ除去のためのパターンを追加すると、光ピックアップ装置の入出力信号のピン数が増え、機器が大型化する問題がある。また、前記差動出力信号に対しては、出力信号への飛び込みノイズを最小限に抑えると同時に、差動の両出力信号へのノイズの影響が等しくなるようにする必要がある。
【０００８】
本発明は、上記課題を解決するために、ノイズ除去のための新たなパターンを追加することなく、フレキシブルケーブル上での光量検出信号への飛び込みノイズを最小限に抑えることにより、ＡＰＣ回路が内蔵された高価なレーザードライバＩＣを使うことなく、ノイズの影響の少ない光量検出信号をＡＰＣ回路に出力することを可能にする。その結果、高速応答に耐えうる光ピックアップ装置を安価に提供することを目的とする。
【課題を解決するための手段】
【０００９】
前記従来の課題を解決するために、本発明の光ピックアップ装置は、光ピックアップ装置の入出力信号のパターン配列において、光源から出射される光ビームの一部を受光し、受光量に応じた出力電気信号である光量検出信号の差動出力信号パターンが、電源電圧パターンと基準電位パターンが隣接配置されたパターン配列にする。本構成によって、ノイズの影響の少ない光量検出信号を出力する。
【発明の効果】
【００１０】
以上のように、本発明の光ピックアップ装置によれば、ＡＰＣ回路をＬＤＤ回路ではなく、コントローラに内蔵させたＡＰＣ回路構成で、ノイズの影響の少ない光量検出信号をＡＰＣ回路に出力することができる。これにより、高速に動作する記録発光波形に忠実に応答した光検出波形を出力する光ピックアップ装置を安価に提供することができる。
【発明を実施するための最良の形態】
【００１１】
以下に本発明の実施の形態について、図面を参照しながら説明する。
【００１２】
（実施の形態１）
図１は、本発明の実施の形態１における光ディスク装置の構成及び、光ピックアップ装置入出力ピン配列の構成を説明する図である。図1において、光ピックアップ装置１０１は、光ディスク装置内に位置固定的に設けられた回路基板１０３とフレキシブルケーブル１０２によって電気的に接続されている。光ピックアップ装置１０１に搭載されたＬＤＤ回路１０４には、ＡＰＣ回路は内蔵されておらず、回路基板１０３に搭載されているコントローラ１０９に内蔵されている。このため、光量検出信号である光検出素子１０５の差動出力信号の光量差動出力＋１１２と光量差動出力−１１３はフレキシブルケーブル１０２を経由してコントローラ１０９に内蔵されているＡＰＣ回路１１０に接続される。
【００１３】
また、光量差動出力＋１１２と光量差動出力−１１３のフレキシブルケーブル１０２内でのパターン配列は、電源電圧１１４と基準電位１１１のパターンが両側に隣接配置されたパターン配列となっている。
【００１４】
ここで、電源電圧１１４と基準電位１１１は、回路基板１０３に搭載されている電源回路１０８で生成され、電源電圧１１４は光ピックアップ装置１０１内の電気回路で使われる電源電圧であり、基準電位１１１は光ピックアップ装置１０１内の電気回路で使われ、電源電圧１１４とＧＮＤ（０Ｖ）の間の値である中間基準電位であり、もともと光ピックアップ装置１０１に供給されている電圧であり、ノイズ除去用に新たに用意されたものではないため、光ピックアップ装置１０１の入出力信号のピン数の増加はない。
【００１５】
また、電源電圧１１４と基準電位１１１は通常、ノイズ除去用のコンデンサでＧＮＤに接続されており、電源電圧１１４と基準電位１１１は交流的にはＧＮＤと短絡された状態である。これにより、電源電圧１１４と基準電位１１１のラインは、ほぼ等しいシールド効果を発揮し、フレキシブルケーブル１０２上での光量差動出力＋１１２と光量差動出力−１１３への飛び込みノイズを最小限に抑えると同時に、両出力へのノイズの影響を等しくすることができる。光量差動出力＋１１２と光量差動出力−１１３への飛び込みノイズの量が等しくなれば、差動出力の差動演算後の出力信号は、ノイズ成分が除去された光量検出信号となる。
【００１６】
図２は、光量差動出力＋１１２と光量差動出力−１１３に同量のノイズが飛び込んだ場合に、差動演算後の出力信号には、ノイズ成分が除去された光量検出信号となることを説明する図である。差動出力＋信号２０１と差動出力−信号２０２それぞれに乗ったノイズ成分２０３及び２０４は、同極性且つ、ほぼ同じ大きさである。よって、差動出力＋信号２０１と差動出力−信号２０２の差動演算後の光量検出信号２０５には、ノイズ成分はなくなり、差動出力＋信号２０１の振幅約２倍の光量検出信号として得ることができる。
【００１７】
尚、電源電圧１１４と基準電位１１１のパターン配置は、順序が入れ替わっても構わないし、電源電圧または基準電位が複数ある場合は、電源電圧１１４同士または、基準電位１１１同士が光量差動出力＋１１２と光量差動出力−１１３の隣接に配置された構成にしても構わない。
【００１８】
また、光ピックアップ装置１０１の入出力信号のパターン配列において、接地電位（ＧＮＤ）のパターン配置に余裕がある場合は、電源電圧１１４と基準電位１１１の一方または両方の代わりに、接地電位（ＧＮＤ）で置き換えたパターン配置、即ち電源電圧１１４と接地電位（ＧＮＤ）、基準電位１１１と接地電位（ＧＮＤ）、または接地電位（ＧＮＤ）同士のいずれかが光量差動出力＋１１２と光量差動出力−１１３の隣接に配置されたパターン配列にしても同様の効果が期待できる。
【産業上の利用可能性】
【００１９】
本発明にかかる光ピックアップ装置は、ＡＰＣ回路が内蔵された高価なレーザードライバＩＣを使うことなく、また、光ピックアップ装置の入出力信号のピン数を増加させることなくノイズの影響の少ない光量検出信号をＡＰＣ回路に出力することができるので、光源から出射される光ビームを情報記録媒体に照射して記録情報を再生または記録するために用いる光ピックアップ装置に関するもの、特に光源から出射される光ビームの光量を検出して、前記光源の出射パワーの制御を行う光ピックアップ装置等に有用である。
【図面の簡単な説明】
【００２０】
【図１】本発明の実施形態１における光ディスク装置のレーザーパワー制御の概略構成及び、光ピックアップ装置入出力信号パターン配列の概略構成を説明する図
【図２】本発明の光ディスク装置のノイズが除去される様子を説明する図
【図３】従来の光ディスク装置のレーザーパワー制御の概略構成を説明する図
【符号の説明】
【００２１】
１０１，３０１    光ピックアップ装置
１０２，３０２    フレキシブルケーブル
１０３，３０３    回路基板
１０４，２０４    ＬＤＤ回路
１０５    光量検出素子
１０８    電源回路
１０９，３０９    コントローラ
１１０，３１０    ＡＰＣ回路
２０１    差動出力＋信号
２０２    差動出力−信号
２０３，２０４    ノイズ成分
２０５    差動演算後の光量検出信号
【図１】
2008021383.tif 000003
【図２】
2008021383.tif 000004
【図３】
2008021383.tif 000005